【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
１群のエネルギ消費負荷におけるエネルギ消費負荷を管理する方法であり、該群が該負荷と複数の他の負荷とを含む前記管理する方法であって、
前記方法は、
（ａ）前記負荷から１組の負荷状態データを生成する段階と、
（ｂ）前記負荷状態データの組を前記複数の他の負荷から生成した負荷状態データの組と統合する段階と、
を含み、
（ｃ）前記負荷の群における該負荷の各々が、その負荷サイクルを達成するための使用可能性要件を有し、該負荷に対する前記負荷状態データの組は、該負荷の各々の該使用可能性要件を含み、
前記方法は、更に
（ｄ）負荷状態データの前記統合された組を使用して前記負荷に対する使用可能性状態決定を行う段階であって、該使用可能性状態決定が、該負荷の使用可能性状態を反映し、該使用可能性状態が、負荷有効状態又は負荷無効状態のいずれかであり、該使用可能性状態決定が、該負荷の該使用可能性要件と前記他の負荷の該使用可能性要件とを組み込む前記使用可能性状態決定を行う段階と、
（ｅ）前記負荷に対する前記使用可能性状態決定を実施させる段階と、
を含む、
ことを特徴とする方法。
【請求項２】
前記使用可能性状態決定は、予め決められた時間セグメント中に実施され、
前記時間セグメントは、期間を含む複数のセグメントのうちの１つであり、
前記負荷の各々の前記使用可能性要件は、該負荷がその負荷サイクルを達成するために前記負荷有効状態になければならない前記期間内の残りのセグメント数によって示される、
ことを特徴とする請求項１に記載の方法。
【請求項３】
前記負荷サイクルは、前記負荷の自然負荷サイクルであることを特徴とする請求項２に記載の方法。
【請求項４】
前記負荷サイクルは、前記負荷の割り当て負荷サイクルであることを特徴とする請求項２に記載の方法。
【請求項５】
前記割り当て負荷サイクルは、前記負荷の自然負荷サイクル未満であることを特徴とする請求項４に記載の方法。
【請求項６】
スケジュールに従って段階（ａ）、（ｂ），（ｃ）、（ｄ）、及び（ｅ）を繰り返す段階を更に含むことを特徴とする請求項２に記載の方法。
【請求項７】
前記負荷に対する使用可能性状態決定が、セグメント毎に少なくとも１度行われることを特徴とする請求項６に記載の方法。
【請求項８】
前記負荷の群における該負荷の各々が、エネルギ需要表示を有し、
前記使用可能性状態決定は、前記負荷の各々の前記エネルギ需要表示を更に組み込む、
ことを特徴とする請求項１に記載の方法。
【請求項９】
前記使用可能性状態決定の目標が、前記負荷の群に対するターゲットシステム平衡を達成することであり、
前記ターゲットシステム平衡は、
ΣnI=1ＩMAX＊ＤＣI
に等しく、ここで、ｎ＝前記負荷の群における負荷の数であり、ＩMAX＝負荷Ｉの前記エネルギ需要表示であり、ＤＣI＝負荷Ｉの前記負荷サイクルである、
ことを特徴とする請求項８に記載の方法。
【請求項１０】
１群のエネルギ消費負荷におけるエネルギ消費負荷を管理するためのシステムであり、該群が該負荷と複数の他の負荷とを含む前記管理するためのシステムであって、
（ａ）前記負荷から生成した１組の負荷状態データを送信する送信機と、
（ｂ）前記他の負荷から生成した負荷状態データの組を受信する受信機と、
（ｃ）前記負荷から前記負荷状態データの組を生成し、該負荷からの該負荷状態データの組を前記他の負荷から受信した前記負荷状態データの組と統合するために前記送信機及び受信機と通信するプロセッサであって、該プロセッサが、該負荷に対する使用可能性状態決定を行うために負荷状態データの該統合された組を処理するように構成され、該使用可能性状態決定が、該負荷の使用可能性状態を反映し、該使用可能性状態が、負荷有効状態又は負荷無効状態のいずれかであり、該使用可能性状態決定が、該負荷の使用可能性要件と該他の負荷の使用可能性要件とを組み込む前記プロセッサと、
（ｄ）前記使用可能性状態決定を実施させるために前記プロセッサと通信するコントローラと、
を含むことを特徴とするシステム。
【請求項１１】
前記使用可能性状態決定は、予め決められた時間セグメント中に実施され、
前記時間セグメントは、期間を含む複数のセグメントのうちの１つであり、
前記負荷の各々の前記使用可能性要件は、該負荷がその負荷サイクルを達成するために前記負荷有効状態になければならない前記期間内の残りのセグメント数によって定められる、
ことを特徴とする請求項１０に記載のシステム。
【請求項１２】
前記負荷サイクルは、前記負荷の自然負荷サイクルであることを特徴とする請求項１１に記載のシステム。
【請求項１３】
前記負荷サイクルは、前記負荷の割り当て負荷サイクルであることを特徴とする請求項１１に記載のシステム。
【請求項１４】
前記割り当て負荷サイクルは、前記負荷の自然負荷サイクル未満であることを特徴とする請求項１３に記載のシステム。
【請求項１５】
前記負荷に対する使用可能性状態決定が、セグメント毎に少なくとも１度行われることを特徴とする請求項１１に記載のシステム。
【請求項１６】
前記負荷の群における該負荷の各々が、エネルギ需要表示を有し、
前記使用可能性状態決定は、前記負荷の各々の前記エネルギ需要表示を更に組み込む、
ことを特徴とする請求項１０に記載のシステム。
【請求項１７】
前記使用可能性状態決定の目標が、前記負荷の群に対するターゲットシステム平衡を達成することであり、
前記ターゲットシステム平衡は、
ΣnI=1ＩMAX＊ＤＣI
に等しく、ここで、ｎ＝前記負荷の群における負荷の数であり、ＩMAX＝負荷Ｉの前記エネルギ需要表示であり、ＤＣI＝負荷Ｉの前記負荷サイクルである、
ことを特徴とする請求項１６に記載のシステム。
【請求項１８】
１群のエネルギ消費負荷におけるエネルギ消費負荷を管理するように構成された装置であり、該群が該負荷と複数の他の負荷とを含む前記管理するように構成された装置であって、
（ａ）プロセッサ及び該プロセッサと通信し、該プロセッサによって実行可能な少なくとも１つの負荷管理プログラムを格納するための第１の不揮発性部分と該少なくとも１つのプログラムによって利用される負荷状態データを格納するための第２の部分とを含む少なくとも１つの情報ストレージ媒体と、
（ｂ）前記負荷の状態をモニタし、かつ前記負荷状態データを前記情報ストレージ媒体の前記第２の部分に通信する負荷感知デバイスと、
（ｃ）負荷状態データをそれ自体と前記負荷の他のものに関連付けられた他の送受信機との間で交換するように構成された通信送受信機と、
を含み、
（ｄ）前記負荷管理プログラムの目標が、前記負荷に対する前記負荷状態データと該負荷の前記他のものとを利用して該負荷に対するターゲットシステム平衡を達成することであり、該ターゲットシステム平衡は、ΣnI=1ＩMAX＊ＤＣIに等しく、ここで、ｎ＝前記負荷の群における負荷の数であり、ＩMAX＝負荷Ｉのエネルギ需要表示であり、ＤＣI＝負荷Ｉの負荷サイクルであり、
（ａ）前記負荷管理プログラムの実行が、それ自体の負荷の負荷状態データを組み込むその負荷を有効にするための好ましいタイミングと、該負荷の前記他のものの負荷状態データに対する該負荷管理プログラムの実行とを計算し、
（ｂ）前記装置は、前記負荷管理プログラムの実行の結果に応答して前記負荷を有効又は無効にさせるように構成されたコントローラを更に含む、
ことを特徴とする装置。
【請求項１９】
前記エネルギ需要表示は、前記負荷感知デバイスによって以前に感知された最大エネルギ使用率を含むことを特徴とする請求項１８に記載の装置。
【請求項２０】
前記負荷状態データは、前記負荷の負荷サイクルに関する履歴データと該負荷のエネルギ需要表示とを含むことを特徴とする請求項１８に記載の装置
【請求項２１】
前記負荷の前記負荷サイクルに関する前記履歴データは、全体期間に関する情報を含み、
前記期間は、予め決められた複数のセグメントを含み、
各セグメントの持続時間にわたって、前記負荷は、有効又は無効のいずれかであり、
前記履歴データは、負荷が有効にされたそれらのセグメントのうちのどれに対して該負荷が実際にエネルギを消費していたか、及び負荷が有効にされたそれらのセグメントのうちのどれに対して該負荷がエネルギを消費していなかったかを更に示す、
ことを特徴とする請求項２０に記載の装置。
【請求項２２】
前記負荷が有効にされたセグメントの数が、該負荷が実際にエネルギを消費していたセグメントの数よりも大きいことを特徴とする請求項２１に記載の装置。
【請求項２３】
前記負荷管理プログラムは、前記負荷の前記履歴データと前記複数の負荷における前記他の負荷のうちの少なくとも１つの該履歴データとを利用して、予め決められた前記ターゲットシステム平衡を達成する前記目標によって次の期間内のセグメントを有効又は無効のいずれかに指定することを特徴とする請求項２０に記載の装置。